(57)【特許請求の範囲】
【請求項１】
ディスク状記録媒体が収納されると共に、シャッターバネにより閉蓋方向に付勢されたシャッターを有したディスクカートリッジが挿入されるディスクホルダーと、
該ディスクカートリッジの挿入動作により摺動し、前記ディスクホルダーをカートリッジ挿入・イジェクト位置からカートリッジ装填位置に移動させるスライダーと、
前記ディスクカートリッジの挿入動作に伴い、前記ディスクカートリッジのシャッターを開蓋するシャッターアームと、
前記スライダーを摺動可能に支持するフレームと、
前記シャッターアームが前記シャッターを開蓋したとき、前記シャッターバネに起因して前記ディスクカートリッジに発生する移動付勢力の作用方向と反対方向に、前記ディスクカートリッジの移動を阻止する力を付与する移動阻止機構とを有する記録媒体装填装置において、
前記移動阻止機構は、フレームに立設された略く字状に折り曲げられた移動阻止用バネと、前記ディスクホルダーの側面及び下面を切り欠いて形成されており前記移動阻止用バネが挿入される開口部とにより構成されており、該移動阻止用バネは前記ディスクホルダーが前記カートリッジ挿入・イジェクト位置にあるときは前記カートリッジから離間しており、前記ディスクホルダーが前記カートリッジ挿入・イジェクト位置からカートリッジ装着位置へと移動することに応じて、前記ディスクカートリッジと係合し、前記ディスクカートリッジを押圧する構成としたことを特徴とする記録媒体装填装置。
【発明の詳細な説明】
【０００１】
【発明の属する技術分野】
本発明は記録媒体装填装置に係り、特にシャッターバネにより閉蓋方向に付勢されたシャッターを有したディスクカートリッジが装着される記録媒体装填装置に関する。
【従来の技術】
例えば、パーソナルコンピュータあるいはワードプロセッサ等の電子装置では、情報を記録または再生する手段として磁気ディスク装置（記録媒体記録再生装置）を装備している。そして、磁気ディスク装置としては、例えば特開平８−５５４０２号公報にみられるように、記録媒体としてのディスクカートリッジが装着されると、ディスクカートリッジ内に収容された磁気ディスクが回転駆動されると共に、磁気ヘッドが磁気ディスクに摺接して磁気記録再生を行なうよう構成されたものがある。
【０００２】
また、ディスクカートリッジは、カートリッジ内に塵埃が侵入するのを防止するシャッター、及び磁気ディスク装置内に装填された際に位置決めを行なうための基準孔を有している。シャッターは、磁気ディスク装置に装填される前はカートリッジ内に配設されたシャッターバネにより閉蓋されている。また、基準孔は、磁気ディスク装置内に適正にディスクカートリッジが装填された際、磁気ディスク装置に設けられている基準ピンと係合する構成とされている。これにより、ディスクカートリッジを磁気ディスク装置内の既定装填位置に位置決めすることができる。
【０００３】
上記の磁気ディスク装置は、ディスクカートリッジを装填位置（磁気ディスクに対し記録再生処理が行われる位置）と挿入・イジェクト位置（ディスクホルダーに対しディスクカートリッジが挿入またはイジェクトされる位置）との間で移動させる記録媒体装填装置を有している。
【０００４】
この記録媒体装填装置は、ディスクホルダー、シャッターアーム、スライダー、及びラッチレバー等を有した構成とされている。ディスクホルダーは、ディスクカートリッジが挿入される挿入・イジェクト位置と、ディスクカートリッジに収納されたディスクに対し記録再生処理が行なわれる装填位置との間で移動する構成とされている。
【０００５】
シャッターアームは、ディスクカートリッジの挿入動作に伴いディスクカートリッジのシャッターを開蓋する。また、スライダーは、ディスクカートリッジの挿入操作により摺動動作を行なうことにより、ディスクホルダーを挿入・イジェクト位置から装填位置へ移動させる。また、ラッチレバーは、ディスクホルダーが挿入・イジェクト位置にある時にスライダーを係止すると共に、ディスクカートリッジの挿入操作によりスライダーの係止を解除する構成とされている。
【０００６】
上記構成とされた記録媒体装填装置において、ディスクカートリッジが挿入されると、シャッターアームはディスクカートリッジのシャッターと係合する。そして、ディスクカートリッジの挿入動作に伴いシャッターアームは回動し、これによりシャッターを開蓋する。シャッターが開蓋することにより、磁気ディスクの一部はディスクカートリッジから露出し、記録再生可能な状態となる。
【０００７】
また、ディスクホルダーにディスクカートリッジが挿入されると、ラッチレバーがディスクカートリッジの端部に押圧されて回動し、これに伴いラッチレバーによるスライダーの係止が解除される。これにより、スライダーはコイルバネのバネ力で移動し、これに伴ってディスクホルダーは装填位置に向けて移動する。よって、ディスクホルダーに収納されたディスクカートリッジは装填位置に移動され、ディスクカートリッジ内の磁気ディスクはターンテーブル上にチャッキングされる。
【０００８】
【発明が解決しようとする課題】
ところで、上記構成とされた磁気ディスク装置において、ディスクカートリッジを保持するディスクホルダーが振動，衝撃，或いは中途半端なイジェクト動作等により移動した場合、磁気ディスク装置のフレームに設けられた基準ピンがディスクホルダーの基準孔から外れたり、また外れかかった状態となるおそれがある。
【０００９】
また、前記したようにディスクカートリッジをディスクホルダー内に挿入することによりシャッターが開蓋するが、シャッターがシャッターバネの付勢力に抗して開蓋することにより、その反力がディスクカートリッジに常に印加された状態となる。即ち、シャッターが開蓋すると、ディスクカートリッジにはシャッターの開蓋方向と同方向に移動しようとする力（以下、移動付勢力という）が作用する。
【００１０】
従って、上記のように基準ピンが基準孔から外れたり、外れかかった状態になると、上記した移動付勢力によりディスクカートリッジは基準孔が基準ピンからずれた状態を維持してしまい、元の適正な装填位置に状態に戻らなくなる。このように、基準孔が基準ピンからずれた状態は、ディスクカートリッジが磁気ディスク装置内の既定装填位置からずれた状態である。
【００１１】
よって、このような不良装填状態であると、磁気ディスク装置のヘッドと磁気ディスクとの摺接状態が不良となり、記録再生状態に悪影響を及ぼすという問題点が生じる。
【００１２】
本発明は上記の点に鑑みてなされたものであり、ディスクカートリッジを常に適正な装填位置に位置決めしうる記録媒体装填装置を提供することを目的とする。
【００１３】
【課題を解決するための手段】
上記の課題を解決するために本発明では、次に述べる各手段を講じたことを特徴とするものである。
請求項１記載の発明は、
ディスク状記録媒体が収納されると共に、シャッターバネにより閉蓋方向に付勢されたシャッターを有したディスクカートリッジが挿入されるディスクホルダーと、
該ディスクカートリッジの挿入動作により摺動し、前記ディスクホルダーをカートリッジ挿入・イジェクト位置からカートリッジ装填位置に移動させるスライダーと、
前記ディスクカートリッジの挿入動作に伴い、前記ディスクカートリッジのシャッターを開蓋するシャッターアームと、
前記スライダーを摺動可能に支持するフレームと、
前記シャッターアームが前記シャッターを開蓋したとき、前記シャッターバネに起因して前記ディスクカートリッジに発生する移動付勢力の作用方向と反対方向に、前記ディスクカートリッジの移動を阻止する力を付与する移動阻止機構とを有する記録媒体装填装置において、
前記移動阻止機構は、フレームに立設された略く字状に折り曲げられた移動阻止用バネと、前記ディスクホルダーの側面及び下面を切り欠いて形成されており前記移動阻止用バネが挿入される開口部とにより構成されており、該移動阻止用バネは前記ディスクホルダーが前記カートリッジ挿入・イジェクト位置にあるときは前記カートリッジから離間しており、前記ディスクホルダーが前記カートリッジ挿入・イジェクト位置からカートリッジ装着位置へと移動することに応じて、前記ディスクカートリッジと係合し、前記ディスクカートリッジを押圧する構成としたことを特徴とするものである。
【００１４】
上記の発明の構成において、ディスクカートリッジがディスクホルダーに挿入されると、これに伴いシャッターアームがディスクカートリッジのシャッターを開蓋する。また、シャッターが開蓋することにより、ディスクカートリッジにはシャッターの開蓋方向と同方向に移動しようとする力（移動付勢力）が発生する。
【００１５】
しかしながら、移動阻止機構は移動勢力の作用方向と反対方向に力を付与するため、移動付勢力は移動阻止機構が付与する力により相殺される。これにより、ディスクカートリッジの移動を阻止することができ、ディスク状記録媒体に対し良好な状態で記録再生処理を行なうことができる。
【００１６】
【発明の実施の形態】
次に、本発明の実施の形態について図面と共に説明する。
【００１７】
図１乃至図３は、本発明の第１実施例である記録媒体装填装置１０Ａを設けたディスク装置を示している。本実施例では、ディスク装置として磁気記録再生処理を行なうと共に、デジタルカメラ等の小型電子機器に搭載される磁気ディスク装置１１Ａを例に挙げて説明するものとする。
【００１８】
図１に示すように、磁気ディスク装置１１Ａは有底矩形状のフレーム１４を有している。このフレーム１４の内部には、磁気ディスク２１が装着されるターンブル１５を回転させるディスクモータ３３、磁気ヘッド１９を移動させるヘッドキャリッジ１８等が配設されている。記録媒体装填装置１０Ａはフレーム１４内に配設されるものであり、大略するとディスクホルダー１２、スライダー１３、及びシャッター開閉機構１６等により構成されている。
【００１９】
この記録媒体装填装置１０Ａは、ディスクカートリッジ２０が挿入されるディスクホルダー１２と、図中矢印Ｘ１，Ｘ２方向に移動してディスクホルダー１２を昇降（図中矢印Ｚ１，Ｚ２方向に移動）させるスライダー１３とが重ね合わされた状態でフレーム１４上に取り付けられることにより、磁気ディスク装置１１Ａに装着される。また、フレーム１４の上部には、カバーとして機能するカバー部材（図示せず）が取り付けられる。スライダー１３は、ディスクホルダー１２の上部に、図中矢印Ｘ１，Ｘ２方向に摺動可能に取り付けられている。
【００２０】
ディスクカートリッジ２０は、図５（Ａ），（Ｂ）に示すように、内部に記録媒体となる磁気ディスク２１が装着されており、下面両側位置には凹部２０ａが設けられている。さらに、ディスクカートリッジ２０の下面には、装填位置を規制するための係合凹部２０ｂが設けられている。
【００２１】
また、ディスクカートリッジ２０は、ディスクホルダー１２への挿入方向前方（図中、矢印Ｘ２方向前方）にシャッター２３が配設されている。このシャッター２３は図中矢印Ｙ１，Ｙ２方向に移動可能な構成とされており、通常はディスクカートリッジ２０に内設されたシャッターバネ（図示せず）により閉蓋方向（図中、矢印Ｙ２方向に付勢されている。従って、記録媒体装填装置１０Ａに挿入前の状態では、シャッター２３は閉蓋した状態となっている。
【００２２】
また、シャッター２３にはシャッター開口２４が形成されており、閉蓋された状態において、シャッター２３はディスクカートリッジ２０に設けられた開口２２を塞ぐよう構成されている。一方、ディスクカートリッジ２０がディスクホルダー１２に挿入されると、シャッター２３は後述するシャッター開閉機構１６によりシャッターバネの付勢力に抗して開蓋される構成とされている。このシャッター２３が開かれた状態において、シャッター開口２４と開口２２とは一致し、よって磁気ディスク２１はシャッター開口２４及び開口２２を介して露出され記録再生処理が可能な状態となる。
【００２３】
続いて、記録媒体装填装置１０Ａを構成する各構成要素について詳述する。
【００２４】
ディスクホルダー１２は、図４に拡大して示すように、大略すると平面部１２ａと、この平面部１２ａの両側からディスクカートリッジ２０を抱え込むように折曲されたカートリッジガイド部１２ｂ，１２ｃと、本発明の要部となる移動阻止用バネ４０Ａ（移動阻止機構を構成する）等により構成されている。
【００２５】
カートリッジガイド部１２ｂ，１２ｃは、前記のように平面部１２ａの両側からディスクカートリッジ２０を抱え込むように折曲されているため、平面部１２ａと両側のカートリッジガイド部１２ｂ，１２ｃに囲まれた部分に空間が形成される。この空間はディスクカートリッジ２０が挿入されるカートリッジ挿入部となる。
【００２６】
また、ディスクホルダー１２の平面部１２ａには、ヘッドキャリッジ１８が移動するため開口１２ｄ，１２ｐが設けられている。また、平面部１２ａにおいて開口部１２ｄの矢印Ｘ１方向側の位置には、若干量突出した段部１２ｓが形成されており、この段部１２ｓの略中央位置には軸部１２ｇが立設されている。更に、段部１２ｓの軸部１２ｇを中心として両側部には、溝部１２ｋ，１２ｌが形成されている。尚、軸部１２ｇには、後述するシャッター開閉機構１６を構成するシャッターアーム２７が配設される。
【００２７】
一方、平面部１２ａの図中右肩部（平面部１２ａの図中矢印Ｘ２方向で、かつ矢印Ｙ２方向の端部）には軸部１２ｍが立設されている。また、この軸部１２ｍの近傍位置にはリブ１２ｕが立設されると共に、切り欠き部１２ｑ，１２ｒが形成されている。尚、軸部１２ｍには、後述するシャッター開閉機構１６を構成するラッチレバー３２が配設される。
【００２８】
更に、カートリッジガイド部１２ｂ，１２ｃの側面部には、外側に向け突出した係合ピン１２ｅとガイド部１２ｆが形成されている。この係合ピン１２ｅは、後述するようにスライダー１３に形成されている傾斜溝１３ｄと係合する。また、ガイド部１２ｆはフレーム１４に上下方向（図中矢印Ｚ１，Ｚ２方向）に形成された案内溝（図示せず）に摺動自在に係合される。このようにガイド部１２ｆがフレーム１４に形成された案内身溝と係合することにより、ディスクホルダー１２は上下方向（図中矢印Ｚ１，Ｚ２方向）へのみ移動する構成となっている。
【００２９】
また、カートリッジガイド部１２ｃの略中央位置には凹部１２ｔが形成されており、この凹部１２ｔには誤挿入防止用バネ（図示せず）が配設される。この誤挿入防止用バネの先端部は、凹部１２ｔからディスクホルダー１２の内部に突出するよう構成されており、ディスクカートリッジ２０が適正にディスクホルダー１２に挿入された場合にのみディスクカートリッジ２０に形成されている誤挿入防止部２６（テーパ部）と係合し、ディスクカートリッジ２０の挿入を許容するよう構成されている。従って、この誤挿入防止用バネにより、ディスクカートリッジ２０の誤挿入防止を図ることができる。
【００３０】
移動阻止用バネ４０Ａは、後述するようにディスクカートリッジ２０がディスクホルダー１２内で不要に移動することを阻止する移動阻止機構として機能するものである。本実施例では、移動阻止用バネ４０Ａを板バネにより構成している。この移動阻止用バネ４０Ａは、押圧部４１と固定部４２を一体形成した構成とされている。
【００３１】
この移動阻止用バネ４０Ａは、ディスクホルダー１２を構成するカートリッジガイド部１２ｂ，１２ｃの内、図中矢印Ｙ１方向側に位置するカートリッジガイド部１２ｂの内側に固定部４２が固定されることにより配設されている。また、移動阻止用バネ４０Ａの配設位置は、図中矢印Ｘ１，Ｘ２方向に長く延在するカートリッジガイド部１２ｂのなかでも、図中矢印Ｘ２方向端部に近い位置に選定されている。
【００３２】
また、板バネ状の移動阻止用バネ４０Ａはカートリッジガイド部１２ｂに沿って延在するよう配設されており、固定部４２に対して押圧部４１が矢印Ｘ２側に位置するよう構成されている。更に、押圧部４１は固定部４２に対して所定の角度で折り曲げられており、よって押圧部４１はディスクホルダー１２内のディスクカートリッジ２０の挿入経路上に延出するよう構成されている。
【００３３】
これにより、ディスクカートリッジ２０がディスクホルダー１２内に挿入された際、移動阻止用バネ４０Ａはディスクカートリッジ２０と係合し、ディスクカートリッジ２０に対して押圧力を付与する。以下、この移動阻止用バネ４０Ａがディスクカートリッジ２０を押圧する押圧力を移動阻止力という。尚、この移動阻止力の詳細については、説明の便宜上、後述するものとする。
【００３４】
続いて、スライダー１３について説明する。スライダー１３は、大略するとディスクホルダー１２の上方で図中矢印Ｘ１，Ｘ２方向に移動（スライド）する平板部１３ａと、この平板部１３ａの両側より下方に折曲された側面１３ｂ，１３ｃとにより構成されている。
【００３５】
平板部１３ａの略中央位置には中央開口１３ｆが形成されており、その内部に延出した延出部１３ｎにはダンパー用連結ピン１３ｍが立設されている。また、平板部１３ａの両側部（図中矢印Ｙ１，Ｙ２方向側の側部）には、フレーム１４の両側面１４ａ，１４ｂ（図５参照）の上端に当接する当接部１３ｅが形成されている。
【００３６】
また、スライダー１３の図中右肩部（平板部１３ａの図中矢印Ｘ２方向で、かつ矢印Ｙ２方向の端部）には、Ｌ字状溝１３ｋが形成されることにより、カム部３１が形成されている。このカム部３１は、図中矢印Ｙ１，Ｙ２方向に延在する第１の辺部３１ａと、図中矢印Ｘ１，Ｘ２方向に延在する第２の辺部３１ｂとを有している。
【００３７】
また、スライダー１３の側面１３ｂ，１３ｃには、ディスクホルダー１２に配設された係合ピン１２ｅと係合する傾斜溝１３ｄが形成されている。また、前記したように、ディスクホルダー１２は上下方向（図中矢印Ｚ１，Ｚ２方向）にのみ移動を許容されている。よって、スライダー１３が図中矢印Ｘ１，Ｘ２方向に移動することにより、ディスクホルダー１２はスライダー１３に対し昇降動作する。
【００３８】
具体的には、スライダー１３が図中矢印Ｘ１方向に移動することによりディスクホルダー１２は装填位置（磁気ディスク２１に対し記録再生処理が行われる位置）に向け下降（図中矢印Ｚ２方向に移動）し、スライダー１３が図中矢印Ｘ２方向に移動することによりディスクホルダー１２は排出位置（ディスクホルダー１２に対しディスクカートリッジ２０が挿入脱される位置）に向け上昇（図中矢印Ｚ１方向に移動）する。
【００３９】
また、スライダー１３の平板部１３ａには、スライダー１３を図中矢印Ｘ１方向に付勢するコイルバネ２９，３０が装架される開口１３ｇ，１３ｈが設けられている（開口１３ｇは中央開口１３ｆと一体化している）。この開口１３ｇ，１３ｈは矢印Ｘ１，Ｘ２方向に延在するよう形成されており、矢印Ｘ２方向の端部にコイルバネ２９，３０の一端が掛止される掛止部１３ｉ，１３ｊが突出形成されている。
【００４０】
また、コイルバネ２９，３０の他端は、ディスクホルダー１２の平面部１２ａに突出形成された掛止部１２ｉ，１２ｊに掛止されている。このため、スライダー１３は、コイルバネ２９，３０のバネ力により常に矢印Ｘ１方向に付勢された構成となっている。
【００４１】
続いて、図６乃至図９を用いて、シャッター開閉機構１６について説明する。シャッター開閉機構１６は、前記したディスクホルダー１２とスライダー１３との間に配設されている。このシャッター開閉機構１６は、大略するとディスクホルダー１２，スライダー１３，シャッターアーム２７，及びラッチレバー３２等により構成されている。
【００４２】
シャッターアーム２７は略への字状とされた板状アームであり、ディスクホルダー１２にディスクカートリッジ２０を挿入することにより回動し、ディスクカートリッジ２０に設けられているシャッター２３を前記したシャッターバネの弾性力に抗して開く機能を奏するものである。このシャッターアーム２７は、大略すると軸孔２７ａ、下方延出部２７ｂ，２７ｃ、掛止部２７ｄ、ラッチ連結ピン２７ｅ，及び係合爪２７ｆ等を有した構成とされている。
【００４３】
軸孔２７ａはディスクホルダー１２に配設された軸部１２ｇに挿入され、これによりシャッターアーム２７は軸部１２ｇを中心として回動可能な構成となる。また、下方延出部２７ｂ，２７ｃは、ディスクホルダー１２に形成された溝部１２ｋ，１２ｌに挿入されることにより段部１２ｓと係合する構成となっている。この下方延出部２７ｂ，２７ｃが段部１２ｓと係合することにより、シャッターアーム２７がディスクホルダー１２から離脱するのを防止している。
【００４４】
また、掛止部２７ｄにはコイルバネ２８の一端部が掛止されており、またコイルバネ２８の他端部はディスクホルダー１２に形成された掛止部１２ｈに掛止されている。このコイルバネ２８は、シャッターアーム２７を常に図８及び図９に矢印Ａ２で示す方向（時計方向）に回動付勢している。
【００４５】
また、係合爪２７ｆは下方（矢印Ｚ２方向）に向け所定量突出した形状を有しており、ディスクホルダー１２にディスクカートリッジ２０が挿入された際、シャッター２３の端部に形成されたシャッター係合部２５と係合する構成とされている。
【００４６】
更に、係合爪２７ｆの形成位置より所定量Ｘ１方向にずれた位置には、ラッチ連結ピン２７ｅが植設されている。このラッチ連結ピン２７ｅは下方（矢印Ｚ２方向）に向け所定量突出しており、後述するラッチレバー３２と連結される構成となっている。
【００４７】
続いて、ラッチレバー３２について説明する。本実施例では、ラッチレバー３２はシャッターアーム２７と別体とされている。このラッチレバー３２は、ディスクホルダー１２が排出位置にある時にスライダー１３の移動をロックすると共に、ディスクカートリッジ２０の挿入に伴いスライダー１３のロックを解除し、ディスクホルダー１２を装填位置に移動させる機能を奏するものである。
【００４８】
ラッチレバー３２は略Ｕ字状を有した板状レバーであり、大略すると軸孔３２ａ，第１のレバー部３２ｂ，第２のレバー部３２ｃ，Ｕ字状溝３２ｄ，及び掛止部３２ｆ等を有した構成とされている。
【００４９】
軸孔３２ａはディスクホルダー１２に配設された軸部１２ｍに挿入され、これによりラッチレバー３２は軸部１２ｍを中心として回動可能な構成となる。また、軸孔３２ａの外周位置には切り欠き３２ｇが形成されており、この切り欠き３２ｇにはディスクホルダー１２に形成されたリブ１２ｕが挿通される構成とされている。
【００５０】
この切り欠き３２ｇは、ラッチレバー３２がその機能を奏する回動範囲においてはリブ１２ｕの形成位置と一致しないよう構成されている。よって、リブ１２ｕがラッチレバー３２の軸部１２ｍの外周部分と係合することにより、ラッチレバー３２がディスクホルダー１２から離脱するのを防止している。
【００５１】
第１のレバー部３２ｂは、前記したシャッターアーム２７の下部に位置しており、またその先端部は二股状に分かれることによりＵ字状溝３２ｄを形成している。このＵ字状溝３２ｄはシャッターアーム２７に形成されたラッチ連結ピン２７ｅと係合しており、よってＵ字状溝３２ｄとラッチ連結ピン２７ｅが係合することにより、シャッターアーム２７とラッチレバー３２とは連結された構成となっている。
【００５２】
従って、シャッターアーム２７が図中矢印Ａ１方向に回動することによりラッチレバー３２は図中矢印Ｂ１方向に回動し、またシャッターアーム２７が図中矢印Ａ２方向に回動することによりラッチレバー３２は図中矢印Ｂ２方向に回動する。即ち、シャッターアーム２７とラッチレバー３２とを連結することにより、シャッターアーム２７の回動と、ラッチレバー３２の回動とを同調（同期）させることが可能となる。
【００５３】
尚、シャッターアーム２７とラッチレバー３２との連結位置の上部には、ディスクホルダー１２に形成された舌片状部１２ｎが位置するよう構成されており、この舌片状部１２ｎによりラッチ連結ピン２７ｅがＵ字状溝３２ｄから離脱することを防止している。
【００５４】
一方、第２のレバー部３２ｃには、矩形溝３２ｅ及び係止部３２ｆが設けられている。矩形溝３２ｅは第２のレバー部３２ｃの略中央位置を貫通するよう形成されている。よって、第２のレバー部３２ｃの矩形溝３２ｅが形成された位置は、他の部位に比べて弾性変形し易い弾性変形部として機能する。
【００５５】
また、係止部３２ｆは、第２のレバー部３２ｃの端部に起立するよう形成されると共に、その先端部に折り曲げ部３２ｈを有した構成とされている。この係止部３２ｆは上方（図中矢印Ｚ１方向）に延出することにより、スライダー１３に形成されたカム部３１と係合するよう構成されている。
【００５６】
続いて、上記構成とされたシャッター開閉機構１６において、ディスクカートリッジ２０が装填される時の動作について説明する。
【００５７】
図６及び図８は、ディスクホルダー１２がカートリッジ挿入・イジェクト位置にある状態（以下、この状態を排出状態という）を示している。この状態では、コイルバネ２８に付勢されることにより、シャッターアーム２７は図８に示される矢印Ａ２方向限位置に移動しており、またラッチレバー３２は矢印Ｂ２方向限位置に移動した状態となっている。また、排出状態では、ラッチレバー３２に設けられた係止部３２ｆはカム部３１の第１の辺部３１ａと係合しており、よってスライダー１３の矢印Ｘ１方向への移動はロックされている。
【００５８】
上記の排出状態において、ディスクホルダー１２にディスクカートリッジ２０が図中矢印Ｘ２方向に装填されると、先ず図６に示されるように、ディスクカートリッジ２０のシャッター２３（シャッター係合部２５）はシャッターアーム２７の係止爪２７ｆと係合する。
【００５９】
この状態より更にディスクカートリッジ２０を矢印Ｘ２方向に挿入すると、この挿入力によりシャッターアーム２７はコイルバネ２８の付勢力に抗して、図中矢印Ａ１方向に回動を開始する。また、前記のようにラッチレバー３２は、ラッチ連結ピン２７ｅを介してシャッターアーム２７に連結されているため、シャッターアーム２７が矢印Ａ１方向に回動することにより、ラッチレバー３２は図中矢印Ｂ１方向に回動を開始する。
【００６０】
このように、ディスクカートリッジ２０の挿入に伴いシャッターアーム２７が回動することにより、ディスクカートリッジ２０に設けられているシャッター２３はシャッターバネの弾性力に抗して開蓋方向（矢印Ｙ１方向）に移動を開始し、またラッチレバー３２が矢印Ｂ１方向に回動することにより、係止部３２ｆは第１の辺部３１ａ上を矢印Ｂ１方向に摺動する。
【００６１】
図７及び図９は、ディスクホルダー１２に対しディスクカートリッジ２０が完全に挿入された状態（以下、この状態をディスクカートリッジ挿入状態という）を示している。このディスクカートリッジ挿入状態では、ディスクカートリッジ２０に設けられているシャッター２３は、シャッターアーム２７により完全に開蓋した状態となる。従って、ディスクカートリッジ２０には、シャッターバネによるシャッター２３を閉蓋しようとする力の反力として、ディスクカートリッジ２０をディスクホルダー１２内で図中矢印Ｙ１方向に直線移動させようとする力、或いは図７に矢印Ｍで示す方向に回転移動させようとする力（以下、移動付勢力という）が発生する。
【００６２】
また、ディスクカートリッジ挿入状態では、ラッチレバー３２に設けられた係止部３２ｆは、カム部３１の第１の辺部３１ａと第２の辺部３１ｂとの境界位置に位置している。第２の辺部３１ｂは図中矢印Ｘ１，Ｘ２方向に延在しており、かつカム部３１が形成されたスライダー１３はコイルバネ２９，３０により図中矢印Ｘ１方向に付勢されている。よって、係止部３２ｆが第２の辺部３１ｂと係合することにより、ラッチレバー３２によるスライダー１３のロックは解除され、スライダー１３は図中矢印Ｘ１方向に移動する。
【００６３】
また、スライダー１３の側部には傾斜溝１３ｄが形成されており、この傾斜溝１３ｄにはディスクホルダー１２の係合ピン１２ｅが係合している。従って、スライダー１３が矢印Ｘ１方向に移動することにより、ディスクホルダー１２は下動（図中、矢印Ｚ２方向に移動）し、ディスクカートリッジ２０を磁気ディスク装置１１内の所定装填位置に移動させる。
【００６４】
この装填完了状態において、図１０（Ａ）に示されるように、フレーム１４に立設されている基準ピン３９はディスクカートリッジ２０の底面に形成された係合凹部２０ｂに係合し、フレーム１４に対するディスクカートリッジ２０の位置決めが行なわれる。また、ヘッドキャリッジ１８に配設された磁気ヘッド１９は、開口２２から露出した磁気ディスク２１に摺接し、磁気ディスク２１に対し記録再生処理が行われる。
【００６５】
ところで、上記構成とされた磁気ディスク装置１１Ａにおいて、ディスクカートリッジ２０を保持するディスクホルダー１２が振動，衝撃，或いは中途半端なイジェクト動作等により移動した場合、図１０（Ｂ）に示すように、フレーム１４に立設された基準ピン３９がディスクホルダー２０の係合凹部２０ｂ（基準孔）から外れたり、また外れかかった状態（以下、離脱状態という）となる場合がある。
【００６６】
一方、前記したようにシャッターバネの付勢力に抗してシャッター２３が開蓋することにより、その反力としてディスクカートリッジ２０には移動付勢力が発生する。従って、離脱状態においてシャッターバネによる移動付勢力のみがディスクカートリッジ２０に作用する構成（即ち、従来の構成）であると、ディスクカートリッジ２０は係合凹部２０ｂが基準ピン３９からずれた状態を維持し元の適正装填位置に戻らなくなるため、記録再生状態に悪影響を及ぼしてしまうことは前述した通りである。
【００６７】
しかしながら、本実施例ではディスクホルダー１２に移動阻止用バネ４０Ａを設けた構成としている。この移動阻止用バネ４０Ａは、ディスクカートリッジ２０がディスクホルダー１２内に挿入されることによりディスクカートリッジ２０と係合し、ディスクカートリッジ２０に対して押圧力（移動阻止力）を付与する。この移動阻止力は、図中矢印Ｙ２方向にディスクカートリッジ２０を押圧する力として作用する。これに対し、前記したシャッターバネの付勢力に起因してディスクカートリッジ２０を移動付勢する移動付勢力の作用方向は図中矢印Ｙ１で示す方向である。
【００６８】
即ち、図１０（Ｂ）に示すように、ディスクカートリッジ２０に対し、移動付勢力（同図に矢印Ｆ１で示す）が作用する方向と、移動阻止力（同図に矢印Ｆ２で示す）が作用する方向は互いに逆方向となる。また、移動阻止力Ｆ２の大きさは、移動阻止用バネ４０Ａの材質や厚さ、及び固定部４２に対する押圧部４１の傾き角度や延出量を適宜設定することにより、移動付勢力Ｆ１の大きさと略等しくなるよう構成されている。
【００６９】
従って、シャッターバネに起因してディスクカートリッジ２０に作用する移動付勢力Ｆ１は、移動阻止用バネ４０Ａが発生させる移動阻止力Ｆ２により相殺され、実質的にディスクカートリッジ２０には外力が作用しない状態となる。これによりディスクカートリッジ２０の移動を阻止することができ、また振動等によりディスクカートリッジ２０が離脱状態となっても、係合凹部２０ｂは直ちに基準ピン３９と係合する位置に戻ることができる。従って、本実施例に係る記録媒体装填装置１０Ａを用いることにより、磁気ディスク２１と磁気ヘッド１９との摺接状態を適性に維持でき、良好な状態で記録再生処理を行なうことが可能となる。
【００７０】
また、移動阻止用バネ４０Ａは、移動付勢力Ｆ１の作用方向に対し反対方向に移動阻止力Ｆ２を発生できる位置であれば、特にその配設位置を規定されるものではない。しかしながら、ディスクカートリッジ２０に図７中矢印Ｍ方向の回転力が作用する場合には、ディスクカートリッジ２０が回転によりディスクホルダー１２に近接する位置に設ける必要がある。このため、本実施例では、移動阻止用バネ４０Ａをカートリッジガイド部１２ｂのなかでも、図中矢印Ｘ２方向端部に近い位置に配設した構成としている。
【００７１】
尚、装填位置にあるディスクホルダー１２をカートリッジ挿入・イジェクト位置に移動させる時の動作は、上記した装填時における動作と逆の動作となるため、その説明は省略する。
【００７２】
次に、本発明の第２実施例について説明する。
【００７３】
図１１は、本発明の第２実施例である記録媒体装填装置１０Ｂを設けたディスク装置を示している。本実施例では、ディスク装置としてパーソナルコンピュータ等に搭載される汎用型の磁気ディスク装置１１Ｂを例に挙げている。
【００７４】
本実施例に係る磁気ディスク装置１１Ｂは、フレーム６４上に記録媒体装填装置１０Ｂ、ターンブル６５、ヘッドキャリッジ６８等が配設された構成とされている。ターンブル６５は、図示しないディスクモータにより回転し、載置された磁気ディスクを回転させる。また、ヘッドキャリッジ６８は磁気ヘッドが配設されると共に、ステッピングモータ７０のスクリューシャフト７１と係合している。ステッピングモータ７０が駆動しスクリューシャフト７１が回転すると、ヘッドキャリッジ６８はフレーム６４上を図中矢印Ｘ１，Ｘ２方向に移動し、これにより磁気ヘッドを移動させる構成とされている。
【００７５】
一方、記録媒体装填装置１０Ｂは、大略するとディスクホルダー６２、スライダー６３、及びシャッター開閉機構６６、及び移動阻止用バネ４０Ｂ（移動阻止機構を構成する）等により構成されている。また、装着されるディスクカートリッジは、先に図５を用いて説明したディスクカートリッジ２０と同じものを適用する構成とされている。
【００７６】
ディスクホルダー６２及びスライダー６３の基本的な構成及び機能は、前記した第１実施例で説明したディスクホルダー１２及びスライダー１３と同じである。しかしながら、第１実施例では、スライダー１３がディスクホルダー１２の上方を摺動する構成としたが、本実施例ではスライダー６３がディスクホルダー６２の下方を摺動することにより、フレーム６４に対しディスクホルダー１２を昇降動作させる構成とされている。
【００７７】
また、本実施例に設けられるシャッター開閉機構６６も、シャッターアーム７２とラッチレバー７３とにより構成されている。シャッターアーム７２は、ディスクカートリッジ２０をディスクホルダー６２に挿入することにより図中矢印Ｃ１方向に回動し、この回動に伴いシャッター２３を開蓋する。また、ラッチレバー７３は、ディスクカートリッジ２０がディスクホルダー６２に適正挿入された場合に変位し、スライダー６３のロックを解除する。
【００７８】
また、本実施例に係る記録媒体装填装置１０Ｂでは、移動阻止用バネ４０Ｂをフレーム６４に配設した構成とされている。図１２及び図１３は、図１１におけるＤ−Ｄ線に沿う断面を示している。図１２は記録媒体装填装置１０Ｂの排出状態を示しており、図１３はディスクカートリッジ挿入状態を示している。
【００７９】
各図に示すように、移動阻止用バネ４０Ｂはフレーム６４に配設されており、またその形状は略く字状に折り曲げられた構成とされている。また、ディスクホルダー６２の移動阻止用バネ４０Ｂと対向する位置には、開口部７４が形成されている。
【００８０】
上記構成とされた記録媒体装填装置１０Ｂにおいて、ディスクホルダー６２にディスクカートリッジ２０が挿入されると、シャッターアーム７２により、ディスクカートリッジ２０のシャッター２３はシャッターバネに抗して開蓋する。従って本実施例においても、ディスクカートリッジ２０に移動付勢力Ｆ１が発生する。
【００８１】
また、上記のようにディスクカートリッジ２０がディスクホルダー６２に挿入されることにより、ラッチレバー７３によるスライダー６３のロックが解除される。これにより、スライダー６３は図中矢印Ｘ１方向にスライドし、ディスクカートリッジ２０が挿入されたディスクホルダー６２は図１２に示す状態から図１３に示す状態に下動する（図中、矢印Ｚ２方向に移動する）。
【００８２】
このように、ディスクカートリッジ２０が下動すると、フレーム６４に設けられている移動阻止用バネ４０Ｂは開口部７４を介してディスクカートリッジ２０と係合し、ディスクカートリッジ２０を押圧する。
【００８３】
この移動阻止用バネ４０Ｂがディスクカートリッジ２０を押圧する力Ｆ２（移動阻止力）は、前記したシャッターバネの付勢力に起因してディスクカートリッジ２０を移動付勢する移動付勢力Ｆ１の作用方向に対して反対方向に作用するよう構成されている（図１３参照）。また、移動阻止力Ｆ２の大きさは、移動阻止用バネ４０Ｂの材質や厚さ等を適宜設定することにより、移動付勢力Ｆ１の大きさと略等しくなるよう構成されている。従って、本実施例の構成においても、シャッターバネに起因してディスクカートリッジ２０に作用する移動付勢力Ｆ１は、移動阻止用バネ４０Ｂが発生させる移動阻止力Ｆ２により相殺され、実質的にディスクカートリッジ２０には外力が作用しない状態となる。
【００８４】
これによりディスクカートリッジ２０の移動を阻止することができ、また振動等によりディスクカートリッジ２０が離脱状態となっても、係合凹部２０ｂは直ちに基準ピン３９と係合する位置に戻ることができる。従って、本実施例に係る記録媒体装填装置１０Ｂにおいても、磁気ディスク２１と磁気ヘッド１９との摺接状態を適性に維持でき、良好な状態で記録再生処理を行なうことが可能となる。
【００８５】
尚、上記した各実施例では、移動阻止機構を板バネ状の移動阻止用バネ４０Ａ，４０Ｂにより構成したが、移動阻止機構はこれに限定されるものではなく、移動付勢力Ｆ１の作用方向に対して反対方向に移動阻止力を作用できる構成であれば、他の構成とすることも可能である。
【００８６】
例えば、図１４（Ａ）に示すように、コイルスプリング７６の先端部に押圧部材７７を配設したものを移動阻止機構として用い、コイルスプリング７６の弾性力を移動阻止力としてディスクカートリッジ２０に作用させる構成としてもよい。
【００８７】
また、図１４（Ｂ）に示すように、図中矢印Ｅ方向に回動付勢されると共にディスクカートリッジ挿入状態においてディスクカートリッジ２０の底面に形成された凹部２０ａと係合する回動レバー７８を設け、この回動レバー７８により移動阻止力をディスクカートリッジ２０に作用させる構成としてもよい。
【００８８】
更に、図１４（Ｃ）に示すように、図中矢印Ｙ２方向に直線付勢されると共にディスクカートリッジ挿入状態においてディスクカートリッジ２０の底面に形成された凹部２０ａと係合する直動レバー７９を設け、この直動レバー７９により移動阻止力をディスクカートリッジ２０に作用させる構成としてもよい。
【００８９】
また、上記した実施例では、記録媒体装填装置１０Ａ，１０Ｂを磁気ディスク装置１１Ａ，１１Ｂに適用した例を挙げて説明したが、本発明の適用は磁気ディスク装置に限定されるものではなく、これ以外の例えば光ディスク装置あるいは光磁気ディスク装置あるいはメモリカード等のカード状の記録媒体が装着される記録再生装置等にも適用することも可能である。
【００９０】
【発明の効果】
上述の如く本発明によれば、移動阻止機構は移動勢力の作用方向と反対方向に力を付与するため、移動付勢力は移動阻止機構が付与する力により相殺される。これにより、ディスクカートリッジの移動を阻止することができ、ディスク状記録媒体に対し良好な状態で記録再生処理を行なうことができる。
【図面の簡単な説明】
【図１】本発明の第１実施例である記録媒体装填装置を設けた磁気ディスク装置の分解斜視図である。
【図２】本発明の第１実施例である記録媒体装填装置を設けた磁気ディスク装置の斜視図である。
【図３】本発明の第１実施例である記録媒体装填装置を設けた磁気ディスク装置の平面図である。
【図４】本発明の第１実施例である記録媒体装填装置を構成するディスクホルダーの斜視図である。
【図５】本発明の記録媒体装填装置に装填されるディスクカーカートリッジを示す図であり、（Ａ）は斜視図、（Ｂ）は底面図である。
【図６】本発明の第１実施例である記録媒体装填装置に配設されるシャッター開閉機構及び移動阻止用バネの動作をディスクカートリッジの挿入動作と共に説明するための図である（排出状態）。
【図７】本発明の第１実施例である記録媒体装填装置に配設されるシャッター開閉機構及び移動阻止用バネの動作をディスクカートリッジの挿入動作と共に説明するための図である（カートリッジ挿入状態）。
【図８】本発明の第１実施例である記録媒体装填装置に配設されるシャッター開閉機構及び移動阻止用バネの動作を説明するためスライダーを取り外した状態を示す図である（排出状態）。
【図９】本発明の第１実施例である記録媒体装填装置に配設されるシャッター開閉機構及び移動阻止用バネの動作を説明するためスライダーを取り外した状態を示す図である（カートリッジ挿入状態）。
【図１０】ディスクカートリッジに設けられた係合凹部と基準ピンとの係合状態を示しており、（Ａ）は適正に係合した状態を示す図であり、（Ｂ）は乗り上げた状態を示す図である。
【図１１】本発明の第２実施例である記録媒体装填装置を設けた磁気ディスク装置の平面図である。
【図１２】本発明の第２実施例である記録媒体装填装置に配設される移動阻止用バネの動作を説明するための図である（排出状態）。
【図１３】本発明の第２実施例である記録媒体装填装置に配設される移動阻止用バネの動作を説明するための図である（カートリッジ挿入状態）。
【図１４】第１及び第２実施零の変形例を説明するための図である。
【符号の説明】
１０Ａ，１０Ｂ  記録媒体装填装置
１１Ａ，１１Ｂ  磁気ディスク装置
１２，６２  ディスクホルダー
１３，６３  スライダー
１４，６４  フレーム
１６，６６  シャッター開閉機構
１８，６８  ヘッドキャリッジ
２０  カートリッジ
２１  磁気ディスク
２３  シャッター
２７，７２  シャッターアーム
３２，７３  ラッチレバー
３９  基準ピン
４０Ａ，４０Ｂ  移動阻止用バネ
７６  コイルスプリング
７７  押圧部材
７８  回動レバー
７９  直動レバー
【図１】
0003956575.tif 000002
【図２】
0003956575.tif 000003
【図３】
0003956575.tif 000004
【図４】
0003956575.tif 000005
【図５】
0003956575.tif 000006
【図６】
0003956575.tif 000007
【図７】
0003956575.tif 000008
【図８】
0003956575.tif 000009
【図９】
0003956575.tif 000010
【図１０】
0003956575.tif 000011
【図１１】
0003956575.tif 000012
【図１２】
0003956575.tif 000013
【図１３】
0003956575.tif 000014
【図１４】
0003956575.tif 000015